(57)【要約】【課題】検査作業者の健康を損なうことなく、病理検査を安全に行うことができる病理検査用流し台付きテーブル装置を提供する。【解決手段】作業用テーブル１と流し台２を併設した作業台３と、該作業台３の上面、下面、側面または背面のいずれかに、送風用ファン６および排気用ファン７を備えた送風・排気ボックス８を備えて形成され、前記送風用ファン６により作業台３上に送風して、該作業台３の外周縁部、または前記作業台３の外周縁部および作業用テーブル１と流し台２間に設けられた吸引部１８を介して、前記作業台３から発するホルムアルデヒド等の有害ガスを吸引して、排気ダクト２９より排気する。【選択図】図２
2011005051.tif 000002
【特許請求の範囲】
【請求項１】
作業用テーブルと流し台を併設した作業台と、該作業台の上面、下面、側面または背面のいずれかに、送風用ファンおよび排気用ファンを備えた送風・排気ボックスを備えて形成され、前記送風用ファンにより作業台上に送風して、該作業台の外周縁部、または前記作業台外周縁部および作業用テーブルと流し台間に設けられた吸引部を介して、前記作業台から発するホルムアルデヒドを含む有害ガスを吸引して排気するようにしたことを特徴とする病理検査用流し台付きテーブル装置。
【発明の詳細な説明】
【技術分野】
【０００１】
本発明は、病院の病理検査等でホルマリン固定された臓器等を検査するに当たり、水洗いしてホルマリンを除去し、その後切出しテーブルにて臓器の切出し作業を行う際に発生する有害なホルムアルデヒドガスや、その他の有害ガスの拡散を防止することにより、検査作業者の健康を損なうことなく、病理検査を安全に行うことができる病理検査用流し台付きテーブル装置に関するものである。
【背景技術】
【０００２】
従来、病理検査において検査作業者が臓器を切出す場合、その作業は一般の流し台でホルマリンを水洗いし、すぐ横のテーブルで臓器の切出しを行っている。その際、流し台およびテーブルから発生するホルムアルデヒドガスを除去する手段が全く備えられていないので、ホルマリンから発するホルムアルデヒド等の有害ガスを吸引して検査作業者が体調を崩すことが多いという課題があった。
【０００３】
一方、病理検査用流し台付きテーブル装置に関する過去の特許文献を遡及検索しても１件の先行技術文献をも発見することができなかった。ただ、ホルマリンによる防腐処置を施こされた遺体を解剖台で解剖する場合、ホルムアルデヒドガスによる作業者への悪影響を予防する方法として、解剖台の四面外周縁に突設された縁枠に、遺体から発するホルムアルデヒドガスを吸引して除去するため吸気口を備えた、下記特許文献１に開示されているような解剖台が知られているに過ぎない。
【先行技術文献】
【特許文献】
【０００４】
【特許文献１】特開２００７−２４４７６２号公報
【発明の概要】
【発明が解決しようとする課題】
【０００５】
本発明は、前記課題を解決すべくなされたものであって、病理検査において、検査作業者がホルマリン固定された臓器を切出す場合、テーブルの外周縁部に設けられた吸引部で、ホルマリンから発するホルムアルデヒドなどの有害ガスを吸引して排気するようにすることにより、検査作業者が有害ガスを吸気して体調を崩すことがないようにした病理検査用流し台付きテーブル装置を提供しようとするものである。
【課題を解決するための手段】
【０００６】
本発明は、作業用テーブルと流し台を併設した作業台と、該作業台の上面、下面、側面または背面のいずれかに、送風用ファンおよび排気用ファンを備えた送風・排気ボックスを備えて形成され、前記送風用ファンにより作業台上に送風して、該作業台の外周縁部、または前記作業台外周縁部および作業用テーブルと流し台間に設けられた吸引部を介して、前記作業台から発するホルムアルデヒドを含む有害ガスを吸引して排気するという手段を採用することにより、上記課題を解決した。
【発明の効果】
【０００７】
ホルマリン固定された臓器の切出しおよび水洗作業をする作業台の上方より送風用ファンから送風されると、該送風は直ちに吸引部から吸引されるので、ホルマリンから発生するホルムアルデヒド等の有害ガスが発散上昇しても、検査作業者の顔面付近までは到達することがないので、検査作業者が前記有害ガスを吸入して体調を崩す虞れは全くない。また、ホルムアルデヒドガスばかりでなく、その他の有害ガスの排気も可能である。
【図面の簡単な説明】
【０００８】
【図１】本発明病理検査用流し台付きテーブル装置全体の斜視図である。
【図２】本発明病理検査用流し台付きテーブル装置の縦断面図である。
【図３】本発明病理検査用流し台付きテーブル装置において、吸引部を示す横断面図である。
【図４】本発明病理検査用流し台付きテーブル装置において、吸引部の他の実施例を示す横断面図である。
【実施例】
【０００９】
本発明の実施例を図面に基づいて詳細に説明すると、本発明の病理検査用流し台付きテーブル装置は、図に示すように、側面から見ると略断面コ字状に形成され、下方部にホルマリン固定された臓器の切出し作業をする作業用テーブル１と、必要に応じて水洗作業する流し台２を併設した作業台３と、該作業台３の背面側上方に立設された戸棚４等の収納スペースとなる収納部５と、前記作業台３上に送風する送風用ファン６および該作業台３から発するホルムアルデヒド等の有害ガスを吸引して外部へ排気する排気用ファン７を備えた送風・排気ボックス８とが、背面板９の前方側に突設されると共に、前記作業台３・収納部５および送風・排気ボックス８に囲まれた作業空間１０を備えて形成されている。なお、図中１１は水道蛇口、１２は照明器具である。
【００１０】
前記送風・排気ボックス８は、図においては、作業台３の上面に設置されているが、前記作業台３の下面、側面または背面のいずれかに設置してもよい。
【００１１】
前記作業台３を構成する作業用テーブル１と流し台２を備え設置した筺体１３内の前記作業用テーブル１と流し台２の下面部において密に設けられた底板１４上に区画板１４を密に横設すると共に、前記収納部５の下面に区画壁１６を密に立設固定して、該区画板１５と区画壁１６に区画された、切出しおよび水洗作業で発生するホルムアルデヒド等の有害ガスの流入室１７を設けると共に、該作業台３の外周縁部に、または前記作業台３の外周縁部および作業用テーブル１と流し台２間に、切出しおよび水洗作業で発生するホルムアルデヒド等の有害ガスを吸引するための吸引部１８が設けられている。
【００１２】
前記吸引部１８は、前記作業台３の外周縁部に、または該作業台３の外周縁部および作業用テーブル１と流し台２間に、特に限定する必要はないが、好ましくは多数の吸引小孔１９を穿設して形成することが推奨される。
【００１３】
更に、前記筺体１３内の流入室１７の背面側には、区画壁１６、背面板９および底板１４に囲まれた排気案内室２０が設けられ、前記区画壁１６に設けられたガラリ部２１を通して、前記流入室１７に流入したホルムアルデヒド等の有害ガスを排気案内室２０へ導入できるように形成されている。
【００１４】
一方、前記送風・排気ボックス８内には区画壁２２が密に立設固定されていて、前記作業空間１０に面する側を送風室２３とすると共に、前記収納部５に面する側を排気室２４とする。
【００１５】
そして、前記送風・排気ボックス８の送気室２３の上方には、送風用ファン６が設けられると共に、該送気室２３の下方の底板２５には送風開口２６が開口されていて、前記送風用ファン６により外部の空気を吸引して、該送風開口２６を介して前記作業空間１０に送風できるよう形成されている。なお、特に限定する必要はないが、好ましくは、前記送風開口２６に送風拡散用のプリーツ状に濾紙を折畳んで形成されたフィルタ２７を設置することが推奨される。
【００１６】
また、前記フィルタ２７を使用することなく、送風用ファン６よりの送風を拡散して微風として、作業空間１０へ送風するためのパンチング板２８を備えてもよい。そして更に、フィルタ２７とパンチング板２８の両者を備えてもよい。なお、図においては、フィルタ２７とパンチング板２８の両者を備えたものが示されている。
【００１７】
更に、前記送風・排気ボックス８の排気室２４の上方には、排気用ファン７が設けられると共に、該排気用ファン７の上方には排気ダクト２９が連結されており、後述するように、排気室２３へ流入したホルムアルデヒド等の有害ガスを排気用ファン７で吸引して排気ダクト２９を介して室外等へ排気するよう形成されている。
【００１８】
更に、前記収納部５の戸棚４と背面板９間には小巾の通気スペース３０が設けられると共に、該通気スペース３０の下端部は前記流入室１７に連結して設けられた排気案内室２０に開口連通する一方、前記通気スペース３０の上端部は前記排気室２４に開口連通されている。
【００１９】
そして、前記排気案内２０内に前記排気用ファン７により吸引されて流入したホルムアルデヒド等の有害ガスを、無害化して排気案内室２０から前記通気スペース３０内に吸引させるために、該排気案内２０と該通気スペース３０間にはケミカルフィルタ３１が設置されることが推奨される。なお、図示してはいないが、前記排気案内２０と該通気スペース３０間にケミカルフィルタ３１を設置することなく、前記排気ダクト２９に前記ホルムアルデヒド等の有害ガスを処理する部材、例えば、ケミカルフィルタを設置してもよい。
【００２０】
前記のような構成より成る本発明装置の作用について説明すると、先ず電源を投入して送風用ファン６および排気用ファン７を起動した後、適宜流し台２において水洗したホルマリンで固定された臓器を作業台３の作業用テーブル１上に置いて、該ホルマリンで固定された臓器を切出して処理する。
【００２１】
前記ホルマリン固定された臓器の切出しおよび水洗作業において、ホルマリンからホルムアルデヒド等の有害ガスが発散するが、該有害ガスは作業台３の外周縁部、または該作業台３の外周縁部および作業用テーブル１と流し台２間に設けられた吸引部１８より前記排気用ファン７の吸引力により吸引されて、該有害ガスは、図に示すように気体流入室１７からガラリ部２１を経て排気案内室２０へ導入され、然る後、ケミカルフィルタ３１で有害ガスを吸着除去し、通気スペース３０、排気室２４を通って排気ファン７によって排気ダクト９を介して外部へ排気される。
【００２２】
すなわち、本発明装置においては、臓器の切出し作業および水洗作業をする作業台３の上方より送風用ファン６から送風されると共に、該送風は直ちに吸引部１８から吸引されるので、ホルマリンから発生するホルムアルデヒド等の有害ガスが発散上昇して、検査作業者が該有害ガスを吸入して体調を崩す虞れは全くない。
【符号の説明】
【００２３】
１  作業用テーブル
２  流し台
３  作業台  
４  戸棚
５  収納部
６  送風用ファン
７  排気用ファン
８  送風・排気ボックス
９  背面板
１０  作業空間
１１  水道蛇口
１２  照明器具
１３  筺体
１４  底板
１５  区画板
１６  区画壁
１７  流入室
１８  吸引部
１９  吸引小孔
２０  排気案内室
２１  ガラリ部
２２  区画壁
２３  送風室
２４  排気室
２５  底板
２６  送風開口
２７  フィルタ
２８  パンチング板
２９  排気ダクト
３０  通気スペース
３１  ケミカルフィルタ
【図１】
2011005051.tif 000003
【図２】
2011005051.tif 000004
【図３】
2011005051.tif 000005
【図４】
2011005051.tif 000006